(57)【要約】【課題】成形時の振動によっても保護枠の前後両端部が型枠の底板面から浮き上がらず、保護枠と天端部コンクリートとの間に隙間が発生ぜず、高さ寸法に狂いがない門型側溝ブロックが得られるコンクリート製門型側溝ブロックの逆打ち型枠を提供する。【解決手段】スライドレール２で左右方向に移動自在に配置された左右一対の側板３と前記側板に丁番５で取り付けた前後いずれもがドア状に開閉できる前後の妻板４と底板６とからなる外枠（３・４・６）と、前記左右一対の側板を固定する手段を備えた内枠９とからなるコンクリート製門型側溝ブロックの逆打ち型枠１にあって、門型側溝ブロックの天端部に装着する前記底板上に載置した保護枠Ｅの前後両端部を、前後の妻板の型組時にその下部に設けた浮き上がり防止ピン１１で底板６上に固定する。【選択図】図２
2019044489.tif 000002
【特許請求の範囲】
【請求項１】
架台上のスライドレールで左右方向に移動自在に配置された左右一対の側板と前記側板に丁番で取り付けた前後いずれもがドア状に開閉できる前後の妻板と底板とからなる外枠と、前記左右一対の側板を固定する手段を備えた内枠とからなるコンクリート製門型側溝ブロックの逆打ち型枠において、前記門型側溝ブロックの天端部に装着するための前記底板上に載置した保護枠の前後両端部を、前記型枠の型組時に前記前後の妻板の下部に設けた浮き上がり防止ピンで前記底板上に固定する構成としたことを特徴とする門型側溝ブロックの逆打ち型枠における保護枠の固定構造。
【請求項２】
前記門型側溝ブロックの左右両天端部に装着するための前記底板上に載置した左右の保護枠の前後両端部を、前記型枠の型組時に前記前後の妻板の下部に設けた左右の浮き上がり防止ピンで前記底板上に同時に固定する構成としたことを特徴とする請求項１記載の門型側溝ブロックの逆打ち型枠における保護枠の固定構造。
【請求項３】
前記前後の妻板の下部に設けた前記浮き上がり防止ピンが、並行に突出する複数本のピンからなる構成としたことを特徴とする請求項１又は２に記載の門型側溝ブロックの逆打ち型枠における保護枠の固定構造。
【請求項４】
前記浮き上がり防止ピンの先端部がペンシル状としたことを特徴とする請求項１、２又
は３に記載の門型側溝ブロックの逆打ち型枠における保護枠の固定構造。
【発明の詳細な説明】
【技術分野】
【０００１】
本発明は門型側溝ブロックの逆打ち型枠に関し、更に詳しくは、コンクリート製門型側溝ブロックの天端部に装着する保護枠の型枠底板への固定構造に関する。
【背景技術】
【０００２】
路面に埋設されるコンクリート製のＵ字溝や門型側溝等の天端部は、車両等の通過によって磨耗したり損傷を受けたりする。特に横断用の側溝では常時車両が通過するため、その天端部を金属製の保護枠によって保護することが多い。
【０００３】
この保護枠は、天端部の保護の他に本体コンクリートと一体に形成され、蓋係り部まで保護するように形成される場合もある。また、保護枠をグレーチングと一体にし、さらに本体コンクリートと一体に成形して、がたつきを抑えるなどの効果を目的としたものなどが知られている。
【先行技術文献】
【特許文献】
【０００４】
【特許文献１】特開平９−２０９４３９号
【特許文献２】特開２０１６−８４６１１号
【発明の概要】
【発明が解決しようとする課題】
【０００５】
側溝の天端部の保護やがたつきを防止するためには、保護枠と天端部のコンクリートとを密着させて形成する必要があり、なおかつ、前後に敷設されるブロック同志の天端部との間、天端部と路面舗装部との間に段差が生じないよう、寸法精度よく取り付けられていることが必要がある。また、後付けで保護枠を天端部に取り付けることには手間がかかることから、工場で予め一体化して製造されることが多い。
【０００６】
この場合、保護枠を型枠の底板上に載置して、ブロック底面側を上にしたコンクリートの逆打ち投入によって成形することで、保護枠と天端部コンクリートとの間に隙間が生じないようにしている。保護枠と天端部コンクリートとの一体性を確保する上では、保護枠の裏面にアンカーを設けるなどの工夫が考えられるが、成形時の振動によって保護枠が型枠の底板面から浮き上がってしまい、高さ寸方が狂ってしまうことになりかねない。
【課題を解決するための手段】
【０００７】
上記のような従来の課題を解決するため、本願の請求項１に係る発明では、
架台上のスライドレールで左右方向に移動自在に配置された左右一対の側板と前記側板に丁番で取り付けた前後いずれもがドア状に開閉できる前後の妻板と底板とからなる外枠と、前記左右一対の側板を固定する手段を備えた内枠とからなるコンクリート製門型側溝ブロックの逆打ち型枠において、前記門型側溝ブロックの天端部に装着するための前記底板上に載置した保護枠の前後両端部を、前記前後の妻板の型組時にその下部に設けた浮き上がり防止ピンで前記底板上に固定する構成としたことを特徴とする門型側溝ブロックの逆打ち型枠における保護枠の固定構造とした。
【０００８】
また、上記のような従来の課題を解決するため、本願の請求項２に係る発明では、前記門型側溝ブロックの左右両天端部に装着するための前記底板上に載置した左右の保護枠の前後両端部を、前記前後の妻板の型組時にその下部に設けた左右の浮き上がり防止ピンで前記底板上に同時に固定する構成としたことを特徴とする門型側溝ブロックの逆打ち型枠における保護枠の固定構造とした。
【０００９】
さらに、上記のような従来の課題を解決するため、本願の請求項３に係る発明では、前記前後の妻板の下部に設けた前記浮き上がり防止ピンが、並行に突出する複数本のピンからなる構成としたことを特徴とする門型側溝ブロックの逆打ち型枠における保護枠の固定構造とした。
【００１０】
そして又、上記のような従来の課題を解決するため、本願の請求項４に係る発明では、前記浮き上がり防止ピンの先端部がペンシル状になっていることを特徴とする門型側溝ブロックの逆打ち型枠における保護枠の固定構造とした。
【発明の効果】
【００１１】
上述したように、本願の請求項１に記載の発明によれば、前後いずれもがドア状に開閉できる前後の妻板の下部に浮き上がり防止ピンが取り付けられていることで、前記前後の妻板の型組と同時に保護枠の前後両端が浮き上がり防止ピンにより底板上に固定され、成形時の振動によっても保護枠が前記底板から浮き上がらない。したがって、ペーストや骨材が前記保護枠の下方に廻り込むことがなく、寸法に狂いが生じない門型側溝ブロックが得られる。
【００１２】
また、本願の請求項２に記載の発明によれば、前記前後の妻板の型組時にその下部に設けた左右の浮き上がり防止ピンで前記底板上に配置した左右の保護枠を同時に固定でき、作業能率の向上が図られる。
【００１３】
さらに、本願の請求項３に記載の発明によれば、前記前後の妻板の下部に設けた前記浮き上がり防止ピンが並行に突出する複数本のピンからなる構成としたことで、保護枠の前後両端は幅方向において複数本のピンで押さえられ、固定がしっかりしたものとなる。
【００１４】
そして更に、本願の請求項４に記載の発明によれば、前記浮き上がり防止ピンの先端をペンシル状に構成することで、前記前後の妻板の型組時に浮き上がり防止ピンの先端部が前記保護枠の表面上をスライドしながら押さえ付けるので、作業がスムーズに行える。
【図面の簡単な説明】
【００１５】
【図１】門型側溝ブロックの全体斜視図である。
【図２】図１に示す門型側溝ブロックを製造する際に使用する本発明に係るコンクリート逆打ち型枠の正面図で、全開途中の妻板の一部を切り欠いた図である。
【図３】図２に示すコンクリート逆打ち型枠の平面図である。
【図４】本発明の要部を示す拡大部分断面図である。
【発明を実施するための形態】
【００１６】
以下、本発明を図面に示す実施例により詳細に説明する。図１において、Ａはコンクリートで形成した門型の側溝ブロックで、本発明はこの門型の側溝ブロックＡを振動締め固めによって成形する際に使用するコンクリートの逆打ち型枠に関するものである。
【００１７】
前記門型の側溝ブロックＡは、天板部Ｂと，該天板部Ｂの巾方向の左右両端部から垂下する脚部（側壁部）Ｃ，Ｃと、長手方向に延びる前記天板部Ｂの中央に形成したグレーチング設置用の縦穴Ｄとから主に構成されており、前記天板部Ｂの天端部には逆Ｌ字形の保護枠Ｅが前記側溝ブロックＡの長手方向（前後方向）の全長に渡って装着されている。
【００１８】
Ｆは前記グレーチング設置用の縦穴Ｄの左右両側に設置したＬ字型の受枠で、この受枠Ｆにグレーチング（図示しない）を嵌め込み、後述する型枠の型組の際に、受枠Ｆと長辺枠部材８ａに予め取り付けてあるグレーチング固定用のボルトＨ・ナットＩでグレーチングを固定して設置するものであり、受枠Ｆの上端縁Ｆ1 と前記保護枠Ｅの内端縁Ｅ1 とは溶接によって一体に形成されている。
【００１９】
１は前記門型の側溝ブロックＡを成形する際に使用するコンクリート逆打ちの型枠で、２は架台上に設置したスライドレール、３は前記スライドレール２で左右方向にそれぞれ移動自在に設置された左右一対の側板である。４は前記側板３の一端側に丁番５によって取り付けられた妻板で、前後の両妻板４，４はいずれもがドア状に開閉できるよう形成されている。
【００２０】
６は底板で、前記左右の側板３，３及び前後の妻板４，４および前記底板６で前記型枠１の外枠が構成されている。８は前記底板６の中央に設置した台枠で、前後方向に延びる左右の長辺枠部材８ａと、左右方向の短辺枠部材８ｂからなる平面視が長方形状の突起部であり、この突起部（台枠）８は前記門型側溝ブロックＡのグレーチング設置用の縦穴Ｄと対応する位置に設置されている。
【００２１】
９は前記外枠（３・４・６）内に設置した内枠で、離間する左右一対の起立内壁９ａ，９ａと、該両起立内壁９ａ，９ａがその下端部で一部に凹溝９ｂを有する底内壁９ｃで連結したＵ字形のものであり、前記起立内壁９ａ，９ａの上端部は、吊り金具１０の主旱が上下動することで開く角度が変わるハ字状の枝板１０ａ，１０ａの先端部に軸装されている。
【００２２】
１１は前記前後の妻板４，４の下部に設けた浮き上がり防止ピンで、前記側板３と丁番５で回転可能に取り付けられた妻板４にあって丁番５側に１ヵ所１１Ａ、側板３とロックする側−妻クランプ１２側に１ヵ所１１Ｂの計２ヵ所にそれぞれ設置されており、各浮き上がり防止ピン１１の設置箇所１１Ａ，１１Ｂには平行して突出する各２本の浮き上がり防止ピン１１，１１がそれぞれ離間して設けられている。
【００２３】
上記構成からなる本発明の型枠１の型組み作業は次の手順で行う。
（１）底板６上の左右両端部に、前記門型側溝ブロックＡの天板部Ｂにあってその頂端部Ｇに全長にわたって装着するための保護枠Ｅと、該保護枠Ｅの長手方向中央部に溶接によって一体に取り付けた受枠Ｆを設置する。保護枠Ｅと受枠Ｆとが一体となったこの枠材の型枠１への設置にあたっては、図４に示すように、横Ｌ字状の保護枠Ｅの水平部Ｅａを底板６と面接させ、溶接により一体となった受枠Ｆにあって、逆Ｌ字形の起立部および水平部を前記台枠８の長辺枠部材８ａに外側から被せる形で設置する。
【００２４】
（２）左右の側板３，３をスライドレール２で底板６方向へそれぞれへスライドさせ、側板３と底板６を側−台クランプ１３でロックする。つぎに、内枠９を吊り金具１０を介して上方から底板６方向に下降させ、内枠９の底内壁９ｃ下面が台枠８の長辺枠部材８ａ上面と当接するこの位置で内枠クランプ１４でロックする。なお、図中１５は側板３，３間にあって上方に架設した側板クランプである。
【００２５】
（３）次に、左右の側板３，３に丁番５，５によって取り付けた前後の妻板４，４を丁番５，５の軸を中心として内枠９方向に回転させ、閉じた妻板４を妻−側クランプ１２でロックする。妻板４を丁番５を中心として内枠９方向に回転させ、妻板４で側板３と内枠９間及び内枠９と側板３間の小口を閉じる際、妻板４にあって浮き上がり防止ピンの設置箇所１１Ａ，１１Ｂにそれぞれ設置した二本の浮き上がり防止ピン１１，１１は、底板６の上に載置した保護枠Ｅの端部Ｅａ上面をスライドしながら押さえ付ける。
【００２６】
（４）型枠１の外枠（３・４・６）及び内枠９を上記の状態で型組したのち、側板３と内枠９との間に上方からコンクリートを投入して充填し、振動締め固めの後脱型することで、図１に示すように、天板部Ｂの頂端部に保護枠Ｅが全長にわたって装着されている門型の側溝ブロックＡが得られる。詳述すると、前記前後の妻板４，４の型組と同時に保護枠Ｅの前後両端部Ｅａが浮き上がり防止ピン１１により底板６上に固定されているので、成形時の振動によっても保護枠Ｅの前後両端部Ｅａが底板６から浮き上がらず、寸法に狂いが生じない門型側溝ブロックＡが得られる。
【符号の説明】
【００２７】
Ａ  門型の側溝ブロック
Ｄ  縦穴
Ｅ  保護枠
Ｆ  受枠
Ｈ  ボルト
Ｉ  ナット
１  型枠
２  スライドレール
３  側板
４  妻板
５  丁番
６  底板
３・４・６  外枠
８  台枠
８ａ  長辺枠部材
８ｂ  短辺枠部材
９  内枠
９ａ  起立内壁
９ｂ  凹溝
９ｃ  底内壁
１０  吊り金具
１１  浮き上がり防止ピン
【図１】
2019044489.tif 000003
【図２】
2019044489.tif 000004
【図３】
2019044489.tif 000005
【図４】
2019044489.tif 000006
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
架台上のスライドレールで左右方向に移動自在に配置された左右一対の側板と前記側板に丁番で取り付けた前後いずれもがドア状に開閉できる前後の妻板と底板とからなる外枠と、前記左右一対の側板を固定する手段を備えた内枠とからなるコンクリート製門型側溝ブロックの逆打ち型枠において、門型側溝ブロックの天端部に装着するための前記底板上に載置した保護枠の前後両端部の上面を、前記型枠の型組時に前記前後の妻板の下部に設けた浮き上がり防止ピンで押さえ付けて前記底板上に固定する構成としたことを特徴とする門型側溝ブロックの逆打ち型枠における保護枠の固定構造。
【請求項２】
門型側溝ブロックの左右両天端部に装着するための前記底板上に載置した左右の保護枠の前後両端部の上面を、前記型枠の型組時に前記前後の妻板の下部に設けた左右の浮き上がり防止ピンで押さえ付けて前記底板上に同時に固定する構成としたことを特徴とする請求項１記載の門型側溝ブロックの逆打ち型枠における保護枠の固定構造。
【請求項３】
前記前後の妻板の下部に設けた前記浮き上がり防止ピンが、平行に突出する複数本のピンからなる構成としたことを特徴とする請求項１又は２に記載の門型側溝ブロックの逆打ち型枠における保護枠の固定構造。
【請求項４】
前記浮き上がり防止ピンの先端部をペンシル状としたことを特徴とする請求項１、２又は３に記載の門型側溝ブロックの逆打ち型枠における保護枠の固定構造。
【手続補正２】
【補正対象書類名】明細書
【補正対象項目名】全文
【補正方法】変更
【補正の内容】
【発明の詳細な説明】
【技術分野】
【０００１】
本発明は門型側溝ブロックの逆打ち型枠に関し、更に詳しくは、コンクリート製門型側溝ブロックの天端部に装着する保護枠の型枠底板への固定構造に関する。
【背景技術】
【０００２】
路面に埋設されるコンクリート製のＵ字溝や門型側溝等の天端部は、車両等の通過によって磨耗したり損傷を受けたりする。特に横断用の側溝では常時車両が通過するため、その天端部を金属製の保護枠によって保護することが多い。
【０００３】
この保護枠は、天端部の保護の他に本体コンクリートと一体に形成され、蓋係り部まで保護するように形成される場合もある。また、保護枠をグレーチングと一体にし、さらに本体コンクリートと一体に成形して、がたつきを抑えるなどの効果を目的としたものなどが知られている。
【先行技術文献】
【特許文献】
【０００４】
【特許文献１】特開平９−２０９４３９号
【特許文献２】特開２０１６−８４６１１号
【発明の概要】
【発明が解決しようとする課題】
【０００５】
側溝の天端部の保護やがたつきを防止するためには、保護枠と天端部のコンクリートとを密着させて形成する必要があり、なおかつ、前後に敷設されるブロック同志の天端部との間、天端部と路面舗装部との間に段差が生じないよう、寸法精度よく取り付けられていることが必要である。また、後付けで保護枠を天端部に取り付けることには手間がかかることから、工場で予め一体化して製造されることが多い。
【０００６】
この場合、保護枠を型枠の底板上に載置して、ブロック底面側を上にしたコンクリートの逆打ち投入によって成形することで、保護枠と天端部コンクリートとの間に隙間が生じないようにしている。保護枠と天端部コンクリートとの一体性を確保する上では、保護枠の裏面にアンカーを設けるなどの工夫が考えられるが、成形時の振動によって保護枠が型枠の底板面から浮き上がってしまい、高さ寸法が狂ってしまうことになりかねない。
【課題を解決するための手段】
【０００７】
上記のような従来の課題を解決するため、本願の請求項１に係る発明では、架台上のスライドレールで左右方向に移動自在に配置された左右一対の側板と前記側板に丁番で取り付けた前後いずれもがドア状に開閉できる前後の妻板と底板とからなる外枠と、前記左右一対の側板を固定する手段を備えた内枠とからなるコンクリート製門型側溝ブロックの逆打ち型枠において、門型側溝ブロックの天端部に装着するための前記底板上に載置した保護枠の前後両端部の上面を、前記型枠の型組時に前記前後の妻板の下部に設けた浮き上がり防止ピンで押さえ付けて前記底板上に固定する構成としたことを特徴とする門型側溝ブロックの逆打ち型枠における保護枠の固定構造とした。
【０００８】
また、上記のような従来の課題を解決するため、本願の請求項２に係る発明では、門型側溝ブロックの左右両天端部に装着するための前記底板上に載置した左右の保護枠の前後両端部の上面を、前記型枠の型組時に前記前後の妻板の下部に設けた左右の浮き上がり防止ピンで押さえ付けて前記底板上に同時に固定する構成としたことを特徴とする門型側溝ブロックの逆打ち型枠における保護枠の固定構造とした。
【０００９】
さらに、上記のような従来の課題を解決するため、本願の請求項３に係る発明では、前記前後の妻板の下部に設けた前記浮き上がり防止ピンが、平行に突出する複数本のピンからなる構成としたことを特徴とする門型側溝ブロックの逆打ち型枠における保護枠の固定構造とした。
【００１０】
そして又、上記のような従来の課題を解決するため、本願の請求項４に係る発明では、前記浮き上がり防止ピンの先端部をペンシル状としたことを特徴とする門型側溝ブロックの逆打ち型枠における保護枠の固定構造とした。
【発明の効果】
【００１１】
上述したように、本願の請求項１に記載の発明によれば、前後いずれもがドア状に開閉できる前後の妻板の下部に浮き上がり防止ピンが取り付けられていることで、前記前後の妻板の型組と同時に保護枠の前後両端部の上面が浮き上がり防止ピンにより押さえ付けられることで底板上に固定され、成形時の振動によっても保護枠が前記底板から浮き上がらない。したがって、ペーストや骨材が前記保護枠の下方に廻り込むことがなく、寸法に狂いが生じない門型側溝ブロックが得られる。
【００１２】
また、本願の請求項２に記載の発明によれば、前記前後の妻板の型組時にその下部に設けた左右の浮き上がり防止ピンにより押さえ付けることで前記底板上に配置した左右の保護枠を同時に固定でき、作業能率の向上が図られる。
【００１３】
さらに、本願の請求項３に記載の発明によれば、前記前後の妻板の下部に設けた前記浮き上がり防止ピンが平行に突出する複数本のピンからなる構成としたことで、保護枠の前後両端部の上面は幅方向において複数本のピンで押さえられ、固定がしっかりしたものとなる。
【００１４】
そして更に、本願の請求項４に記載の発明によれば、前記浮き上がり防止ピンの先端をペンシル状に構成することで、前記前後の妻板の型組時に浮き上がり防止ピンの先端部が前記保護枠の上面上をスライドしながら押さえ付けるので、作業がスムーズに行える。
【図面の簡単な説明】
【００１５】
【図１】門型側溝ブロックの全体斜視図である。
【図２】図１に示す門型側溝ブロックを製造する際に使用する本発明に係るコンクリート逆打ち型枠の正面図で、全開途中の妻板の一部を切り欠いた図である。
【図３】図２に示すコンクリート逆打ち型枠の平面図である。
【図４】本発明の要部を示す拡大部分断面図である。
【発明を実施するための形態】
【００１６】
以下、本発明を図面に示す実施例により詳細に説明する。図１において、Ａはコンクリートで形成した門型の側溝ブロックで、本発明はこの門型の側溝ブロックＡを振動締め固めによって成形する際に使用するコンクリートの逆打ち型枠に関するものである。
【００１７】
前記門型の側溝ブロックＡは、天板部Ｂと，該天板部Ｂの巾方向の左右両端部から垂下する脚部（側壁部）Ｃ，Ｃと、長手方向に延びる前記天板部Ｂの中央に形成したグレーチング設置用の縦穴Ｄとから主に構成されており、前記天板部Ｂの天端部には逆Ｌ字形の保護枠Ｅが前記側溝ブロックＡの長手方向（前後方向）の全長に渡って装着されている。
【００１８】
Ｆは前記グレーチング設置用の縦穴Ｄの左右両側に設置したＬ字型の受枠で、この受枠Ｆにグレーチング（図示しない）を嵌め込み、後述する型枠の型組の際に、受枠Ｆと長辺枠部材８ａに予め取り付けてあるグレーチング固定用のボルトＨ・ナットＩでグレーチングを固定して設置するものであり、受枠Ｆの上端縁Ｆ1 と前記保護枠Ｅの内端縁Ｅ1 とは溶接によって一体に形成されている。
【００１９】
１は前記門型の側溝ブロックＡを成形する際に使用するコンクリート逆打ちの型枠で、２は架台上に設置したスライドレール、３は前記スライドレール２で左右方向にそれぞれ移動自在に設置された左右一対の側板である。４は前記側板３の一端側に丁番５によって取り付けられた妻板で、前後の両妻板４，４はいずれもがドア状に開閉できるよう形成されている。
【００２０】
６は底板で、前記左右の側板３，３及び前後の妻板４，４および前記底板６で前記型枠１の外枠が構成されている。８は前記底板６の中央に設置した台枠で、前後方向に延びる左右の長辺枠部材８ａと、左右方向の短辺枠部材８ｂからなる平面視が長方形状の突起部であり、この突起部（台枠）８は前記門型側溝ブロックＡのグレーチング設置用の縦穴Ｄと対応する位置に設置されている。
【００２１】
９は前記外枠（３・４・６）内に設置した内枠で、離間する左右一対の起立内壁９ａ，９ａと、該両起立内壁９ａ，９ａがその下端部で一部に凹溝９ｂを有する底内壁９ｃで連結したＵ字形のものであり、前記起立内壁９ａ，９ａの上端部は、吊り金具１０の主旱が上下動することで開く角度が変わるハ字状の枝板１０ａ，１０ａの先端部に軸装されている。
【００２２】
１１は前記前後の妻板４，４の下部に設けた浮き上がり防止ピンで、前記側板３と丁番５で回転可能に取り付けられた妻板４にあって丁番５側に１ヵ所１１Ａ、側板３とロックする側−妻クランプ１２側に１ヵ所１１Ｂの計２ヵ所にそれぞれ設置されており、各浮き上がり防止ピン１１の設置箇所１１Ａ，１１Ｂには平行して突出する各２本の浮き上がり防止ピン１１，１１がそれぞれ離間して設けられている。
【００２３】
上記構成からなる本発明の型枠１の型組み作業は次の手順で行う。
（１）底板６上の左右両端部に、前記門型側溝ブロックＡの天板部Ｂにあってその頂端部Ｇに全長にわたって装着するための保護枠Ｅと、該保護枠Ｅの長手方向中央部に溶接によって一体に取り付けた受枠Ｆを設置する。保護枠Ｅと受枠Ｆとが一体となったこの枠材の型枠１への設置にあたっては、図４に示すように、横Ｌ字状の保護枠Ｅの水平部Ｅａ下面を底板６と面接させ、溶接により一体となった受枠Ｆにあっては、逆Ｌ字形の起立部および水平部を前記台枠８の長辺枠部材８ａに外側から被せる形で設置する。
【００２４】
（２）左右の側板３，３をスライドレール２で底板６方向へそれぞれスライドさせ、側板３と底板６を側−台クランプ１３でロックする。つぎに、内枠９を吊り金具１０を介して上方から底板６方向に下降させ、内枠９の起立内壁９ａ下面が台枠８の長辺枠部材８ａ上面と当接する位置で内枠クランプ１４でロックする。なお、図中１５は側板３，３間にあって上方に架設した側板クランプである。
【００２５】
（３）次に、左右の側板３，３に丁番５，５によって取り付けた前後の妻板４，４を丁番５，５の軸を中心として内枠９方向に回転させ、閉じた妻板４を妻−側クランプ１２でロックする。妻板４を丁番５を中心として内枠９方向に回転させ、妻板４で側板３と内枠９間の小口を閉じる際、妻板４にあって浮き上がり防止ピンの設置箇所１１Ａ，１１Ｂにそれぞれ設置した二本の浮き上がり防止ピン１１，１１は、底板６の上に載置した保護枠Ｅの水平部Ｅａの前後両端部の上面をスライドしながら押さえ付ける。
【００２６】
（４）型枠１の外枠（３・４・６）及び内枠９を上記の状態で型組したのち、側板３と内枠９との間に上方からコンクリートを投入して充填し、振動締め固めの後脱型することで、図１に示すように、天板部Ｂの頂端部に保護枠Ｅが全長にわたって装着されている門型の側溝ブロックＡが得られる。詳述すると、前記前後の妻板４，４の型組と同時に保護枠Ｅの水平部Ｅａの前後両端部が浮き上がり防止ピン１１により底板６上に固定されているので、成形時の振動によっても保護枠Ｅの水平部Ｅａの前後両端部が底板６から浮き上がらず、寸法に狂いが生じない門型側溝ブロックＡが得られる。
【符号の説明】
【００２７】
Ａ  門型の側溝ブロック
Ｄ  縦穴
Ｅ  保護枠
Ｆ  受枠
Ｈ  ボルト
Ｉ  ナット
１  型枠
２  スライドレール
３  側板
４  妻板
５  丁番
６  底板
３・４・６  外枠
８  台枠
８ａ  長辺枠部材
８ｂ  短辺枠部材
９  内枠
９ａ  起立内壁
９ｂ  凹溝
９ｃ  底内壁
１０  吊り金具
１１  浮き上がり防止ピン
【手続補正３】
【補正対象書類名】図面
【補正対象項目名】図４
【補正方法】変更
【補正の内容】
【図４】
2019044489.tif 000007